(57)【要約】  【課題】  カッターシャツの襟の裏面（内側面）に粘着テープなどによる粘着力或いはクリップを利用して着脱自在に貼り付けることができるので、洗濯する際、及びアイロンでプレスする際には、簡単に取り外すことができる上、繰り返し再利用が可能な襟補強用シートを提供すること。  【解決手段】カッターシャツ２０の襟２１を平坦に広げた形状に略合わせた形状及び大きさを有するポリエチレン樹脂製の弾性シートよりなる襟補強シート本体２を形成し、この襟補強用シート本体２の裏面２ｂにおける左右両端縁近傍における少なくとも一部面に、当該襟補強シート本体２を前記襟２１の裏面に貼り付けて使用するための粘着剤層３，３を積層固定させた。  【選択図】  図１
2008291405.tif 000002
【特許請求の範囲】
【請求項１】
カッターシャツの襟を平坦に広げた形状に略合わせた形状及び大きさを有する弾性シートよりなる襟補強シート本体の左右両端縁近傍の少なくとも一部面に、該一部面を前記襟の内側における対向面に貼着させて前記襟補強用シート本体を前記襟の内側面に沿わせた状態を維持させる、粘着材料が支持されてなることを特徴とするカッターシャツの襟補強用シート。
【請求項２】
襟補強用シート本体は、厚さ０．1〜０．６ｍｍのプラスチック製シートで形成されている請求項１に記載のカッターシャツの襟補強用シート。
【請求項３】
襟補強用シート本体は、カッターシャツの襟を平坦に広げた形状に略合わせた形状及び大きさを有するフィルム及びシートのいずれか又は双方が数枚重ね合わされて貼り付けられた積層構造を有する請求項１又は２に記載のカッターシャツの襟補強用シート。
【請求項４】
粘着材料は、更に、襟補強シートの中央面に支持されている請求項１乃至３のいずれか１項に記載のカッターシャツの襟補強用シート。
【請求項５】
粘着材料は、テープ状基材又はシート状基材の両面における全面に粘着剤が支持された、両面全面粘着型の両面粘着テープ又は両面粘着シートで構成される請求項１乃至４のいずれか１項に記載のカッターシャツの襟補強用シート。
【請求項６】
粘着材料は、テープ状基材又はシート状基材の両面に粘着剤がドットパターン又はラインパターン状に支持された、部分粘着型の両面粘着テープ又は両面粘着シートで構成される請求項１乃至４のいずれか１項に記載のカッターシャツの襟補強用シート。
【請求項７】
粘着材料は、小円形を有するシート状基材の両面に粘着剤が支持された、両面粘着型のシールで構成される請求項１乃至４のいずれか１項に記載のカッターシャツの襟補強用シート。
【請求項８】
粘着材料は、襟補強シート本体における少なくとも左右両端縁近傍面に塗布された粘着剤で構成される請求項１乃至４のいずれか１項に記載のカッターシャツの襟補強用シート。
【請求項９】
粘着材料の表面に、剥離シートが仮固定されている請求項１乃至８のいずれか１項に記載のカッターシャツの襟補強用シート。
【請求項１０】
カッターシャツの襟を平坦に広げた形状に略合わせた形状及び大きさを有する弾性シートよりなる襟補強シート本体の少なくとも左右両端縁部には当該カッターシャツの襟の両端近傍箇所を挟着させるクリップ部が夫々設けられていることを特徴とするカッターシャツの襟補強用シート。
【請求項１１】
左右のクリップ部には装飾が施されている請求項１０に記載のカッターシャツの襟補強用シート。
【発明の詳細な説明】
【技術分野】
【０００１】
本発明は、カッターシャツの襟に張りを持たせて襟の型崩れ及び皺の発生を防止するために、カッターシャツの襟の裏面に取り付けて使用するカッターシャツの襟補強用シートに関する。
【背景技術】
【０００２】
カッターシャツの襟及び襟元は、ビジネスファッションの決め手の重要なポイントの１つであり、クリーニング店では特にこの部分に注意を払って糊づけし、アイロンでプレスする。又、家庭でカッターシャツを洗濯する人も多く、これに対応させて、生地に皺が生じ難いパーマネント加工がされたカッターシャツも市販されている。
【０００３】
しかしながら、糊づけしてアイロンでプレスしたカッターシャツを着用すると、様々な体の動きに伴ってカッターシャツの襟が型崩れしたり、皺が生じたりすることがあり、家庭で洗濯したカッターシャツの場合には尚更である。
【０００４】
このため、従来から、Yシャツの襟に張りを持たせるための様々な工夫が提案されてきた。
【０００５】
例えば、特許文献１により提示される折襟は、襟に略合わせた形状及び大きさを有し、中央に関節を有する屈曲性整形板を襟の裏面（内側面）に支持させることにより、折襟の形状安定性が図られている。
【０００６】
特許文献２により提示されるカッターシャツは、襟の表生地と裏生地の間にポリエチレン樹脂その他同効の可塑物よりなるカラー形の弾性薄板を嵌装してなるもの、とされている。
【０００７】
【特許文献１】実公第２０４３号公報
【特許文献２】実公昭３５−７８１８号公報
【発明の開示】
【発明が解決しようとする課題】
【０００８】
しかしながら、特許文献１による折襟は、屈曲性整形板の左右両端部を襟裏の左右に設けられている袋部内に突入させることにより、屈曲整形板を襟裏に支持させる構造であるため、襟裏のこのような袋部が設けられていない殆どのカッターシャツの襟には、この屈曲整形板を支持させることが出来なかった。
【０００９】
特許文献２によるカッターシャツは、弾性薄板が襟の内部に取り出しが出来ない状態で嵌装されているために、洗濯時に弾性薄板の破損及び折れ曲がりが発生することがあり、又、アイロンで襟をプレスする際、乾燥機を利用してカッターシャツを乾燥させる際に、弾性薄板が、加熱により変形するおそれがあった。
【００１０】
本発明が提供しようとする課題は、カッターシャツの襟の裏面（内側面）に粘着テープなどの粘着材料を利用して貼り付けることにより、カッターシャツの襟に張りを持たせて襟の型崩れ及び皺の発生を防止させることができ、カッターシャツを洗濯する際、及びアイロンでプレスする際には、カッターシャツの襟から簡単に取り外すことができる、繰り返し再利用が可能な、カッターシャツの襟補強用シートを提供することにある。
【課題を解決するための手段】
【００１１】
請求項１に係るカッターシャツの襟補強用シートは、カッターシャツの襟を平坦に広げた形状に略合わせた形状及び大きさを有する弾性シートよりなる補強シート本体の左右両端縁近傍の少なくとも一部面に、該一部面を前記襟の内側における対向面に貼着させて前記襟補強用シート本体を前記襟の内側面に沿わせた状態を維持させる、粘着材料が支持されてなるところに特徴がある。
【００１２】
請求項１に係るカッターシャツの襟補強用シート（以下、請求項１の襟補強用シートと略称する。）は、カッターシャツの襟の裏面（内側面）に取り付けて使用する。このようにすると、襟補強用シートの中央部から左右方向の途中部に至る面が、カッターシャツの襟と襟腰部との間に挟まれた状態になり、襟補強用シートの両端近傍面による、カッターシャツの襟の両端近傍面を互いに反対向に広げる方向の弱い弾性力が作用して、カッターシャツの襟に張りが持たされ、これにより、襟の型崩れ及び皺の発生が防止される。
【００１３】
前記襟補強用シートの左右両端縁近傍の少なくとも一部面には粘着材料が支持されており、該一部面をカッターシャツの襟の左右両端近傍における対向面に貼着させると、カッターシャツの襟に対する該襟補強用シート全体の位置決めがされる。
【００１４】
請求項１の襟補強用シートは、カッターシャツを着用する前、及び着用後のいずれにおいても、カッターシャツの襟の裏面（内側面）に取り付けることができるが、カッターシャツを着用する直前に該襟補強用シートを襟の該当面に取り付ける場合には、襟全体を見ながらこの操作が行なえるため、該襟補強用シートを襟の正確な位置に支持させ易い。
【００１５】
請求項１の襟補強用シートをカッターシャツの襟の対応面に取り付ける場合には、カッターシャツの着用前及び着用後のいずれにおいても、カッターシャツの襟を上方に立てた状態、即ち、襟を襟腰部の上方に向けた状態にして行なう。このように襟を上方に立てた状態にすると、襟の裏面（内側面）が外方向に向いて、前記襟補強用シートを襟に沿わせ易い状態になる。この状態で、該襟補強用シートを、襟の裏面（この場合には外方向に向けられた面になる。）に重ね合わせて、該襟補強用シートの左右両端近傍面を襟の対向面に貼り付けるようにする。該襟補強用シートと襟との貼着は、該襟補強用シートの左右両端近傍面に支持されている粘着材料を介して行なわれる。
【００１６】
この後、カッターシャツの立てていた襟を下方に反転させる操作を行なうと、前記襟補強用シートは襟の内側に隠れた状態になる。襟の左右両端近傍面が前記襟補強用シートの左右両端近傍面に貼り付けられているために、襟の反転に伴って、襟全体が長さ方向に張られた状態になり、襟の高さ方向の姿勢は、襟補強用シートによって維持される。しかも、襟の左右両端近傍面は、襟補強用シートが保有する弾性力によって、適度に外方向に張られた状態になる。襟補強は、このような状態にさせることをいう。襟の反転操作は、カッターシャツの最上段の前ボタンを外した状態で行なうと、容易に行なえる。
【００１７】
このようにしてカッターシャツの襟の内側に請求項１の襟補強用シートを取り付けると、カッターシャツの最上段の前ボタンを外すなどして襟の両端部を開放させて、カッターシャツの着用者の首元を楽にさせた状態にしても、該襟補強用シートの左右両端近傍面の少なくとも一部面が、襟の左右両端近傍面の内側面に粘着材料を介して貼着されて襟補強用シート全体の位置決めがされているため、又、該襟補強用シートが若干下方に位置ズレするようなことがあっても、該襟補強用シートの下端部がカッターシャツ着用者の両肩の首下部分に接するため、該襟補強用シートがカッターシャツの襟から覗き見える程に下方に位置ズレするようなことは無い。このため、カッターシャツの最上段の前ボタンを外した場合でも、該襟補強用シートを使用していることは、周囲の人には判らない。
【００１８】
ネクタイの着用操作は、カッターシャツの襟を立てた状態、及び該襟を下方に反転させた状態のいずれにおいても、可能である。請求項１の襟補強用シートの主要部を構成する襟補強用シート本体の両面は、円滑面であることが好ましい。該襟補強用シート本体の裏面が円滑面であると、カッターシャツの襟に皺が生じ難く、粘着材料を該襟補強用シート本体に強力に粘着させ、該襟補強用シート本体の表面が円滑面であると、ネクタイを着用する際の長さ調整が、ネクタイを円滑面に滑らせて行なうことが出来るため、容易にネクタイの長さ調整が行なえ、ネクタイを傷めない。
【００１９】
前記襟補強用シート本体を構成する弾性シートは、上述した機能及び作用が発揮される限りにおいて、素材は特に限定されない。
【００２０】
前記粘着材料は、前記襟補強用シート本体の左右両端縁近傍の少なくとも一部面に支持されていれば足りるとされるが、例えば、ポリアクリル酸高級エステルのようなアクリル系粘着剤のように、粘着力が比較的弱い粘着材料を使用する場合には、粘着材料を、該襟補強用シート本体の左右両端縁近傍面の全面に支持させることが好ましい。例えば、ゴム系粘着剤のように、粘着力が比較的強い粘着材料を使用する場合には、粘着材料を、該襟補強用シート本体の左右両端縁近傍面の一部面に支持させることが好ましい。
【００２１】
請求項２に係るカッターシャツの襟補強用シートは、請求項１の発明に係るカッターシャツの襟補強用シートにおいて、襟補強用シート本体は、厚さ０．1〜０．６ｍｍのプラスチック製シートで形成されている。
【００２２】
ここにいうシートには、厚さが０．３ｍｍ〜０．１ｍｍのフィルムも含まれる。
プラスチック製シートのうちでも、０．1〜０．６ｍｍの厚さにおいて、適度な弾性と張りが維持されるプラスチックシートが対象になる。プラスチックシートは、軽量であり、繰り返し再利用するのに最適な材料である。必ずしも限定されるものではないが、特に、この厚さのポリエチレンテレフタレート製シート樹脂は、比重が比較的小さく、吸水性が極めて小さく、耐寒性にも優れる。即ち、比重が小さいことは襟補強用シートが軽量であることにつながる。吸水性が極めて小さいことは湿気を含まないため、カッターシャツの襟の裏面側を衛生的に保つ。耐寒性が良いことは冬場や寒冷地においても襟補強用シート本体がひび割れることが無く、弾性を維持し得る。
【００２３】
請求項３に係るカッターシャツの襟補強用シートは、請求項１又は２に記載の発明に係るカッターシャツの襟補強用シートにおいて、襟補強用シート本体は、カッターシャツの襟を平坦に広げた形状に略合わせた形状及び大きさを有するフィルム及びシートのいずれか又は双方が数枚重ね合わされて貼り付けられた積層構造を有する。
【００２４】
フィルム及びシートのいずれか又は双方が数枚重ね合わされて貼り付けられて出来た襟補強用シート本体は、例えば、表面と裏面とを透明色のシートで構成し、中のシートを着色したシートにすることが可能になる。シート全体を着色すると色あせが生じたり、カッターシャツの襟に色移りが生じる可能性があるが、数枚重ね合わされたシートのうちの中央に位置するシートのみについて着色すると、このような不具合は生じない。襟補強用シート本体を、カッターシャツの襟の色に合わせた色にすると、襟補強用シートの高級感が増すなどの利点がある。
【００２５】
又、重ね合わせたシートの一部を剥がすことが可能な襟補強用シート本体であっても良く、このようにすると、使用者がシートの一部枚数を剥がして、好みの硬さと張り及び厚さのある襟補強用シートにすることが可能になる。
【００２６】
請求項４に係るカッターシャツの襟補強用シートは、請求項１乃至３のいずれか１項に記載の発明に係るカッターシャツの襟補強用シートにおいて、粘着材料は、更に、襟補強シートの裏面における中央面に支持されている。
【００２７】
襟補強シートの中央面に粘着材料を支持させると、襟補強用シートの中央面とカッターシャツの襟後部の内側面との位置決めが、一層確実かつ強固に行なえる。
【００２８】
請求項５に係るカッターシャツの襟補強用シートは、請求項１乃至４のいずれか１項に記載の発明に係るカッターシャツの襟補強用シートにおいて、粘着材料は、テープ状基材又はシート状基材の両面における全面に粘着剤が支持された、両面全面粘着型の両面粘着テープ又は両面粘着シートで構成される。
【００２９】
粘着材料として最適な材料の１つが、両面粘着テープ又は両面粘着シートであり、両面粘着テープ又は両面粘着シートを使用すると、襟補強用シートの繰り返し再利用に伴って粘着材料表面の粘着力が低下した場合に、両面粘着テープ又は両面粘着シートを貼り替えるだけで、襟補強用シートに、常に良好な粘着力を与える。両面粘着シートについては、襟補強用シート本体の左右両端縁部の近傍面に合わせた形状に切り取ることができるミシン目があるものが最適とされる。
【００３０】
請求項６に係るカッターシャツの襟補強用シートは、請求項１乃至４のいずれか１項に記載の発明に係るカッターシャツの襟補強用シートにおいて、粘着材料は、テープ状基材又はシート状基材の両面に粘着剤がドットパターン又はラインパターン状に支持された、部分粘着型の両面粘着テープ又は両面粘着シートで構成される。
【００３１】
粘着力が比較的高い粘着材料が両面に支持された、部分粘着型の両面粘着テープ又は両面粘着シートを利用しても、前記襟補強用シートをカッターシャツの襟の内側に貼り付けることが可能である。
【００３２】
請求項７に係るカッターシャツの襟補強用シートは、請求項１乃至４のいずれか１項に記載の発明に係るカッターシャツの襟補強用シートにおいて、粘着材料は、小円形を有するシート状基材の両面に粘着剤が支持された、両面粘着型のシールで構成される。
【００３３】
又、この請求項７に記載のように、小円形を有する両面粘着型のシールを利用しても、前記襟補強用シートをカッターシャツの襟の内側に貼り付けることが可能である。
【００３４】
請求項８に係るカッターシャツの襟補強用シートは、請求項１乃至４のいずれか１項に記載の発明に係るカッターシャツの襟補強用シートにおいて、粘着材料は、襟補強シート本体の裏面における少なくとも左右両端縁近傍面に塗布された粘着剤で構成される。
【００３５】
このように襟補強用シートの該当面に直接、粘着材料を塗布して支持させても良く、この場合の襟補強用シートは、必ずしも限定されるものではないが、使用により粘着材料の表面の粘着力が低下すると再使用しない、使い捨ての襟補強用シートに適する。
【００３６】
請求項９に係るカッターシャツの襟補強用シートは、請求項１乃至８のいずれか１項に記載の発明に係るカッターシャツの襟補強用シートにおいて、粘着材料の表面に、剥離シートが仮固定されている。
【００３７】
粘着材料の表面は、略平坦面であり、ここに剥離シートを仮固定させて、包装袋に入れられた使用前の襟補強用シートにおいて、粘着材料が包装袋に貼り付かないようにするとともに、粘着材料が乾燥して硬化しないようにした。
【００３８】
請求項１０に係るカッターシャツの襟補強用シートにおいては、カッターシャツの襟を平坦に広げた形状に略合わせた形状及び大きさを有する弾性シートよりなる襟補強シート本体の左右両端部に、当該カッターシャツの襟の両端近傍箇所を挟着させるクリップ部が夫々設けられていることを特徴とするものである。
【００３９】
請求項１０に係るカッターシャツの襟補強用シートにおいては、カッターシャツの襟の両端近傍箇所を、粘着剤を使用することなく、襟補強用シートの左右両端部に設けられているクリップ部による挟着により、当該襟補強用シートをカッターシャツの襟の裏面（内側面）に取り付けて使用する。
【００４０】
前記左右のクリップ部は、カッターシャツの襟の左右両端近傍を挟着するものであり、襟補強用シート本体の左右両端縁から当該襟補強シートの各片側面に向けて、折り返す方向に向けられた舌片と、該舌片に対向した位置にある前記襟補強用シートの一部面とにより、挟着が行なわれる。
【００４１】
又、別のタイプのクリップ部は、襟補強シートにおける左右両端近傍部の下縁から、当該襟補強シートの各片側面に向けて、折り返す方向に向けられた舌片と、該舌片に対向した位置にある前記襟補強用シートの一部面とにより、カッターシャツにおける襟の両端近傍箇所の挟着が行なわれる。
【００４２】
これらのクリップ部は、襟補強シートの弾性による舌片の付勢力を利用し、この付勢力によってカッターシャツにおける襟の両端近傍箇所の挟み付け作用を有するのである。
【００４３】
又、前記クリップ部による挟着を一層強力ならしめるため、弾性材料による肉厚形状を有するＵ形状又は上下が逆さのΩ形状を有するクリップ部の一端側を、前記襟補強用シートの左右両端に固定させたカッターシャツの襟補強用シートにしてもよく、クリップ部は、弾性プラスチックを素材とするものに限定されず、例えば、弾性金属薄板を素材としたものであっても良いのである。
【００４４】
請求項１０に係るカッターシャツの襟補強用シートをカッターシャツの襟の裏面（内側面）に取り付けると、前記舌片は、襟の左右両端近傍における表面に向けられるため、当該舌片が見苦しくないようにするためには、該舌片がアクセサリーを兼用するものであることが望まれる。
【００４５】
このため、請求項１１に係るカッターシャツの襟補強用シートにおいては、左右のクリップ部には、装飾が施されているものが望ましい。
【００４６】
男性向きの装飾には、例えば、アルファベットの１文字にて形成され着色が施された金属製又はプラスチック製の小形装飾品を舌片の先端近傍個所に固定させたものが挙げられるのであり、アルファベットの１文字以外の装飾としては、例えば、野球ボール、サッカーボール、円形状、球形状などが挙げられる。前記クリップ部は、前記舌片に直接これらいずれかの装飾を施したものであっても良く、又、前記舌片にこれらいずれかの装飾を固定させたものであっても良いのである。
【００４７】
女性向きの装飾としては、例えば、いちご、りんごの如き果物の形状にて形成され、着色が施された金属製又はプラスチック製の小形装飾品を舌片の先端近傍個所に固定させたものが挙げられるのであり、果物以外の装飾としては、例えば、蝶、ハートマークなどの形状模様が挙げられる。この他にも、装飾用ガラス片又はプラスチック片を小さな基台面に固定させた装飾体を前記舌片に固定させるようにしても良い。前記クリップ部は、前記舌片にいずれかの装飾を施したものであっても良く、又、前記舌片にこれらいずれかの装飾を固定させたものであっても良いのである。
【発明の効果】
【００４８】
請求項１に係るカッターシャツの襟補強用シートによれば、カッターシャツの襟の形状及び大きさに略合わせた弾性シートを、カッターシャツの襟の裏面（内側面）に、粘着剤層による粘着力を利用して貼り付けて支持させることが出来る構成とした結果、カッターシャツの襟に張りを持たせて襟の型崩れ及び皺の発生を防止することが出来るようになった。しかも、取り付け及び取り外しが簡単であるため、洗濯をする際、アイロンでプレスをする際には、これを取り外して行なうことが出来るため、繰り返し再利用出来る襟補強用シートにすることが出来るようになった。又、ネクタイを着用する際に行なわれるネクタイの長さ調整が、襟補強用シートの円滑な内側面に滑らせて行なうことが出来るようになり、この結果、この長さ調整を楽に行なうことが出来、ネクタイを傷めることが少なくなった。
【００４９】
請求項２に係るカッターシャツの襟補強用シートによれば、襟補強用シート本体を、厚さ０．1〜０．６ｍｍのプラスチック製シートで形成した結果、軽量で、湿気を含まないためにカッターシャツの襟の裏面側を衛生的に保ち、長期間の再利用を可能にし、しかも、最適な弾性を維持し得る襟補強用シートにすることが出来るようになった。
【００５０】
請求項３に係る襟補強用シートによれば、襟補強用シート本体を、カッターシャツの襟を平坦に広げた形状に略合わせた形状及び大きさを有するフィルム及びシートのいずれか又は双方を数枚重ね合わされて貼り付けられた積層構造にした結果、色あせやカッターシャツの襟に色移りが生じない、色付き襟補強用シート、模様を施した見栄えの良い襟補強用シートにすることが出来るようになった。
【００５１】
請求項４に係るカッターシャツの襟補強用シートによれば、粘着材料を、更に、襟補強シートの中央面に支持させた結果、襟補強用シートの中央面とカッターシャツの襟後部の内側面との位置決めが、一層確実かつ強固に行なえるようになった。
【００５２】
請求項５に係るカッターシャツの襟補強用シートによれば、粘着材料を、テープ状基材又はシート状基材の両面における全面に粘着剤が支持された、両面全面粘着型の両面粘着テープ又は両面粘着シートで構成した結果、襟補強用シートの繰り返し再利用に伴って粘着材料表面の粘着力が低下した場合に、両面粘着テープ又は両面粘着シートを貼り替えるだけで、常に良好な粘着力を有する、繰り返し再利用が可能な襟補強用シートにすることが出来るようになった。
【００５３】
請求項６に係る襟補強用シートによれば、粘着材料を、テープ状基材又はシート状基材の両面に粘着剤がドットパターン又はラインパターン状に支持された、部分粘着型の両面粘着テープ又は両面粘着シートで構成した結果、粘着材料の粘着力の強さに合わせた最適な粘着力のある襟補強用シートにすることが出来るようになった。
【００５４】
請求項７に係るカッターシャツの襟補強用シートによれば、粘着材料を、小円形を有するシート状基材の両面に粘着剤が支持された、両面粘着型のシールで構成した結果、粘着材料の粘着力の強さに合わせた最適な粘着力を所望個所に支持させることができる襟補強用シートにすることが出来るようになった。
【００５５】
請求項８に係るカッターシャツの襟補強用シートによれば、粘着材料を、襟補強シート本体の少なくとも左右両端縁近傍面に塗布された粘着剤で構成した結果、使い捨てに最適な襟補強用シートにすることが出来るようになった。
【００５６】
請求項９に係るカッターシャツの襟補強用シートによれば、粘着材料の表面に、剥離シートが仮固定された襟補強用シートにした結果、未使用で包装袋に入れられた状態にある襟補強用シートの粘着材料が、包装袋に貼り付かないようにすることが出来、粘着材料が乾燥して硬化しないようにすることが出来るようになった。
【００５７】
請求項１０に係るカッターシャツの襟補強用シートによれば、襟補強シート本体の少なくとも左右両端部に、当該カッターシャツの襟の両端近傍箇所を挟着させるクリップ部が夫々設けられている結果、粘着剤を使用することなく、カッターシャツの襟補強用シートをカッターシャツの襟の裏面（内側面）に取り付けて使用することができるのである。
【００５８】
又、請求項１１に係るカッターシャツの襟補強用シートによれば、左右のクリップ部に装飾が施されたクリップ部に形成した結果、カッターシャツの襟先のアクセサリーとして、見栄えも向上させることができるのである。
【発明を実施するための最良の形態】
【００５９】
本発明を実施するための最良の形態は、次の実施例において説明する襟補強用シートである。
【実施例１】
【００６０】
図１において、（ａ）図は本発明に係る１実施形態に係るカッターシャツの襟補強用シート１を裏面側から見た斜視図、（ｂ）図は同じく表面図、（ｃ）図は同じく裏面図である。
【００６１】
図１の各図に示す本発明の第１実施形態に係るカッターシャツの襟補強用シート（以下、第１実施形態の襟補強シートと略称する。）１は、カッターシャツの襟を平坦に広げた形状及び大きさに略合わせた厚さ０．４ｍｍのポリエチレン樹脂シートよりなる平坦な襟補強用シート本体２の裏面２ｂに、襟補強用シート本体２をカッターシャツの襟の裏面（内側面）に貼り付けるための粘着材料が支持されて成り、より詳細には、両面粘着テープを貼り付けて形成した粘着材料（斜線部分）３，３の片面が、前記裏面２ｂの左右両端縁２Ｌ，２Ｒに沿う幅約２０ｍｍの近傍面２ｃ，２ｄに貼り付けられている。
【００６２】
襟補強用シート本体２は、厚さ約０．４ｍｍのポリエチレンテレフタレート製シートを、カッターシャツの襟に略合わせた形状及び大きさを有するトムソン刃で打ち抜き加工することにより形成され、襟補強用シート本体２の表面２ａと裏面２ｂは、いずれも円滑面である。襟補強用シート本体２の左右方向の長さ、上下高さなどを含めた形状及び大きさは、カッターシャツの襟の形状及びサイズに合わせたものが用意される。
厚さ０．４ｍｍのポリエチレンテレフタレート製の襟補強用シート本体２は、襟補強用シート本体２を両手の指先で持ち、襟補強用シート本体２の左右両端縁部２Ｌ、２Ｒを近接させる方向に容易に曲げることができ、かつ元の平坦な形状に復帰する弱い弾力を維持し得る厚さである。
【００６３】
襟に略合わせた形状の「略」とは、カッターシャツの襟よりも若干小さな形状を含むという意味であり、襟補強用シート本体２がカッターシャツの襟よりも若干小さく形成されていると、カッターシャツの着用中に、着用者の肩及び首の動きによってカッターシャツの襟の姿勢に変化が見られた場合でも、襟の周囲縁部から第１実施形態の襟補強シート１の端部が露見するおそれがない。
【００６４】
襟補強用シート本体２の左右上下の角部は、安全性を考慮して、丸め処理されている。襟補強用シート本体２は、本来、表裏に違いは無いが、襟補強用シート本体２に両面粘着シート３，３が支持されることによって、表裏の違いが生じる。即ち、粘着シート３，３が貼り付けられていない状態にある襟補強用シート２は、表面２ａと裏面２ｂとにおける違いは見られない。第１実施形態の襟補強用シート１においては、襟補強用シート本体２の裏面２ｂの左右両端縁部における近傍面２ｃ、２ｄに両面粘着シート３，３が貼り付けられている。
【００６５】
襟補強用シート本体２の左右上端部及び左右下端部が角丸め処理されている。カッターシャツの襟の多くの種類は、このような角丸め処理がされていないが、第１実施形態の襟補強シート１による使用目的がカッターシャツの襟の型崩れを防止し、カッターシャツの襟に皺が生じないようにすることにあるため、カッターシャツの襟の先端部まで第１実施形態の襟補強シート１で支持させることは然程重要でないとされる。
【００６６】
襟補強用シート本体２の左右上端部については、角丸め処理されていなくても構わない。又、襟補強用シート本体２の左右下端部の角丸め処理を図１の各図に示す角丸め処理よりも、更に小径に角丸め処理がされても構わない。
【００６７】
第１実施形態の襟補強シート１においては、襟補強用シート本体２は、透明色を有する一層構造のポリエチレン樹脂により形成されている。
【００６８】
図２において、（ａ）図は、第１実施形態の襟補強用シート１の裏面における端部を示した部分拡大図、（ｂ）図は同じく粘着面に剥離シート４が貼り付けられていない状態で示す部分断面図、（ｃ）図は同じく粘着面に剥離シート４が貼り付けられた状態で示す部分断面図である。
【００６９】
図１の（ａ）図及び（ｃ）図、図２の各図に示す両面粘着テープ３，３は、襟補強用シート本体２をカッターシャツの裏面（内側面）に沿って支持させるためにあり、未使用状態にある第１実施形態の襟補強シート１については、該襟補強用シート１を製造する段階で両面粘着テープ３，３を襟補強用シート本体２に貼り付けられている。第１実施形態の襟補強シート１の使用に伴って、両面粘着テープ３，３の表面の粘着力が低下した場合には、利用者によって両面粘着テープ３，３を貼り替えられ、これにより、繰り返し再利用が可能になる。
【００７０】
利用者が貼り替えに使用する両面粘着テープ３，３は、第１実施形態の襟補強シート１に付属のものを利用する他、市販の両面粘着テープを利用することも可能である
【００７１】
図２の（ｂ）図に示すように、両面粘着テープ３は、テープ状基材３ｂの両面に粘着材料３ａ，３ｃが支持されており、利用者が両面粘着テープ３の貼り替えを行なう場合には、一方の粘着材料３ａによる粘着面を襟補強用シート本体２の裏面の該当面に貼り付けて、両面粘着テープ３を襟補強用シート本体２に支持させる。
【００７２】
そして、他方の粘着材料３ｃによる粘着面は、カッターシャツの襟の該当面に貼り付けるために使用される。図２の（ａ）図及び（ｃ）図に示すように、両面粘着テープ３の片側面になる粘着材料３ｃの表面には、剥離シート４が仮固定されているため、第１実施形態の襟補強シート１を使用する際には、剥離シート４は剥がされる。
【００７３】
両面粘着テープを利用した第１実施形態の襟補強シート１は、該襟補強用シート１を繰り返し使用することによって表面側の粘着材料３ｃによる粘着力が低下した場合でも、両面粘着テープ３を貼り替えることによって、更に繰り返し再利用できる利点がある。
【００７４】
両面粘着テープ３の表面側になる粘着材料３ｃの粘着力は、襟補強用シート１をカッターシャツの襟の裏面（内側面）に支持させることができる程度の粘着力が少なくともあり、着用済みのカッターシャツをクリーニング店に持って行くとき、及び家庭でカッターシャツを洗濯するときには、襟補強用シート１をカッターシャツの襟から容易に引き剥がすことが出来、この時に、カッターシャツの襟に粘着剤が残らない程度の粘着力を有する。
【００７５】
第１実施形態の襟補強シート１によるカッターシャツの襟に与える作用効果の点から見ると、両面粘着テープ３における表面側の粘着材料３ｃの粘着力は、第１実施形態の襟補強シート１によってカッターシャツの襟を引き伸ばす方向に外力を付与させる程度の粘着力があることが好ましく、この程度の粘着力があれば、カッターシャツの襟を展張させる。即ち、カッターシャツの襟に皺が出来ることがなく、カッターシャツの襟が型崩れしない。
【００７６】
図３において、（ａ）図は第１実施形態の襟補強シート１の他の形状例を示した表面図、（ｂ）図は同じく裏面図、（ｃ）図は同じく片側の先端近傍面を拡大して示した部分拡大裏面図である。
【００７７】
図３の各図に示すカッターシャツの襟補強シート１は、前述した襟補強用シート１の場合と比較して、襟補強用シート本体２の左右両端縁部２ｅ，２ｆの傾斜が急傾斜であり、かつ左右上端部及び下端部が角丸め処理されていないところに違いがある。このように、襟補強シート１は、カッターシャツの襟の形状及び大きさに対応したものが使用される。
【００７８】
図４は、３枚に重ねて貼り合わされる前の３枚積層構造を有する襟補強用シート本体２を示した斜視図である。
【００７９】
このように３枚に積層された襟補強用シート本体２は、全体の厚さが約０．５ｍｍである。このように３枚に重ね合わせた襟補強用シート本体２は、襟補強用シート本体２の両側面を形成するシート２Ｂ，２Ｃは透明色であり、中央のシート２Ａには、例えば、白色、又は目立たない薄い模様に着色されたシートが使用されている。
【００８０】
このように、襟補強用シート本体２に、白色又は目立たない薄い模様が施されていると、高級感のある襟補強シート１になる。
【００８１】
着色を白色にする理由は、白色のカッターシャツに対応させるためであり、例えば、紺色のカッターシャツの如きカラーカッターシャツに対応させた色の襟補強用シート１にすることも可能である。
【００８２】
第１実施形態の襟補強シート１の模様については、例えば、襟補強用シート本体２の中に挟まれた中央のシート２Ａとして、ポリエチレン樹脂に白色の紙繊維や化学繊維を混入させたシートを使用することも可能である。
【００８３】
この他にも、襟補強用シート本体２の両側のシート２Ｂ，２Ｃを透明のポリエチレン樹脂シートで形成し、中央のシート２Ａを紙製、又はポリエチレン樹脂以外のプラスチックシート製にすることも可能である。
【００８４】
又、ポリエチレン樹脂シートによる２枚重ね構造の襟補強用シート本体にすることも可能である。
【００８５】
図５において、（ａ）図は幅が狭い両面粘着テープ３Ａを示した斜視図、（ｂ）図は幅が広い両面粘着テープ３Ｂを示した斜視図である。
【００８６】
貼り替えに使用する両面粘着テープは、図５の（ａ）図又は（ｂ）図に示す、付属の或いは市販の両面粘着テープ３Ａ，３Ｂのいずれかが使用される。図５の（ａ）図に示す粘着テープ３Ａの幅は、例えば、１．５ｍｍであり、この幅がある両面粘着テープ３Ａを、所望の長さに切断して使用する。図５の（ｂ）図に示す両面粘着テープ３Ｂの幅は、襟補強用シートに貼り付ける面に合わせた幅があり、襟補強用シートに貼り付ける面に合わせたミシン目３ｇが等間隔毎に形成されている。
【００８７】
図６は、襟補強用シート用の両面粘着シート３Ｃを示した斜視図である。
【００８８】
粘着材料の貼り替えには、図６に示す両面粘着シート３Ｃを使用しても良く、この両面粘着シート３Ｃには、襟補強用シートに貼り付ける面に合わせた形状及び大きさに切り取ることができるミシン目３ｇが形成されている。
【００８９】
図７において、（ａ）図〜（ｄ）図は、いずれも両面粘着テープ５の両面における粘着面の形状例を示した図である。
【００９０】
このうち、図７の（ａ）図に示す両面粘着テープ３は、両面全面に粘着面が形成されており、（ｂ）図に示す両面粘着テープ３は、両面に縦ストライプ状の粘着面が形成されており、（ｃ）図に示す両面粘着テープ３は、両面に斜めストライプ方向の粘着面が形成されており、（ｄ）図に示す両面粘着テープ３は、両面にドットパターンの粘着面が形成されている。
【００９１】
両面粘着テープ３は、このように、粘着力に応じた各種形状の粘着面を持つ両面粘着テープ３のいずれかが使用される。又、一方の片面と他方の片面の粘着面が異なる両面粘着テープ３を使用しても良い。
【００９２】
図８において、（ａ）図及び（ｂ）図はいずれも両面粘着シールを示した表面図である。
【００９３】
図８の（ａ）図に示す両面粘着シールは、襟補強シート本体に貼り付ける面に合わせた形状及び大きさのシール６ａ，６ａ・・・が台紙６に剥離可能に貼り付けられており、（ｂ）図に示す両面粘着シールは、小円形のシール７ａ，７ａ・・・が台紙にり付けられており、襟補強用シートの粘着面をこれらのシールを貼り付けて形成しても良い。
【００９４】
図９において、（ａ）図は粘着材料が塗布された第１実施形態の襟補強シート１の裏面における片側の端部を拡大して示した図、（ｂ）図は同じくこれを断面図で示した図である。
【００９５】
図９の（ａ）図及び（ｂ）図に示すように、粘着材料を襟補強用シート本体２の裏面における両端縁部近傍面に塗布することによって、第１実施形態の襟補強シート１に粘着面を形成してもよい。
【００９６】
図１０において、（ａ）図，（ｂ）図，（ｃ）図は、いずれも第１実施形態の襟補強シート１における粘着面の形成個所の各例を示した襟補強用シート本体２の裏面図である。
【００９７】
図１０の（ａ）図に示す襟補強用シート１Ｂにおいては、粘着剤層3，３，３が、襟補強用シート本体２の裏面２ｂにおける左右両端縁２Ｌ，２Ｒに沿う幅約２０ｍｍの近傍面２ｃ，２ｄと、襟補強用シート本体２の裏面２ｂの中央面に形成されている。このように襟補強用シート本体２の裏面２ｂにおける左右両端近傍面だけでなく、襟補強用シート本体２の裏面２ｂの中央面にも粘着剤層３を形成させると、襟補強用シート本体２の中央面の位置もカッターシャツの襟の固定させることが出来るため、カッターシャツの襟元に動きがあった場合でも、カッターシャツの襟の後部から襟補強用シート１Ｂが下方に位置ズレして襟補強用シート１ｂの下端部が見苦しく露出することがない。
【００９８】
図１０の（ｂ）図に示す襟補強用シート１Ｃにおいては、粘着剤層３，３・・・が、襟補強用シート本体２の裏面２ｂにおける左右両端縁２Ｌ，２Ｒに沿う幅約２０ｍｍの近傍面２ｃ，２ｄと、該裏面２ｂの長さ方向を３等分した３ヶ所に形成されている。このように襟補強用シート本体２の裏面２ｂにおける左右両端近傍面だけでなく、襟補強用シート本体２の裏面２ｂを３等分した個所にも粘着剤層３，３，３を形成させると、襟補強用シート本体２の中央面及び途中面の位置もカッターシャツの襟に固定させることが出来るため、カッターシャツの襟元に動きがあった場合でも、カッターシャツの襟の後部及び左右両側部から襟補強用シート１Ｃが下方に位置ズレして襟補強用シート１ｂの下端部が見苦しく露出することがない。
【００９９】
図１０の（ｃ）図に示す襟補強用シート１Ｄにおいては襟補強用シート本体２の裏面２ｂにおける左右両端縁２Ｌ，２Ｒに沿う幅約２０ｍｍの近傍面２ｃ，２ｄに形成されている粘着剤層３，３は、更に襟補強用シート本体２の裏面２ｂの下縁部に沿う方向にも粘着面が形成されている。このように粘着剤層３，３を更に横方向に長く形成すると、襟補強用シート１Ｄの左右両端面をカッターシャツの襟の裏面（内側面）に更に強力に貼り付けることが出来る。カッターシャツの襟の型崩れを防止させ、襟に皺が生じないようにさせるためには、襟補強用シート１Ｄを利用してカッターシャツの襟を展張させた状態にすることが重要なポイントになり、このタイプの襟補強用シート１Ｄはこれに対応させてある。
【０１００】
図１１において、（ａ）図はカッターシャツ２０の襟２１を立てて襟２１の裏面（内側面）に本発明の襟補強用シート１を沿わせて貼り付けた状態を示した正面図、（ｂ）図は同じく右側面図である。
【０１０１】
図１１の（ａ）図及び（ｂ）図に示すように、襟補強シート１をカッターシャツ２０の襟２１の裏面（内側面）２３に沿わせて貼り付ける場合には、カッターシャツ２０の襟２１を立てた状態にした状態で行なう。襟２１を立てると、襟２１の裏面（内側面）が外に向いた状態になり、襟補強シート１は、この襟２１の裏面（内側面）２３に沿わせて、該襟補強用シート１の両端近傍面に形成されている粘着剤層３，３を襟２１の裏面（内側面）２３の対向面に貼り付けるようにして、襟２１の裏面（内側面）２３に支持させるようにする。
【０１０２】
立てた襟２１の裏面（内側面）２３に襟補強シート１を貼り付ける時には、該襟補強用シート１の左右両端近傍面と襟２１の対向面とを指先で挟み付けるようにして、粘着剤層３，３を襟２１に強く粘着させるようにする。
【０１０３】
そして、その後、ネクタイ（図示せず）を襟２１下方の襟腰部２４に沿わせ、その後、襟２１を下方に折り返す。２１を下方に折り返すと、本発明の襟補強用シート１の内側に位置していた襟２１は、下方に折り返すことによって、襟２１全体が前記襟補強用シート１の外側に向けられるため、襟２１にはこの折り返しに伴う展張する方向の外力が加わって、襟２１の展張された状態が維持される。
【０１０４】
図１２において、（ａ）図はカッターシャツ２０の襟２１の裏面（内側面）２３に第１実施形態の襟補強シート１を沿わせて貼り付け終えてネクタイ３０を着用し終えた状態を示した正面図、（ｂ）図は同じく右側面図、図１３は襟２１に対する第１実施形態の襟補強シート１とネクタイ３０の位置関係を示した襟後部の側面断面図である。
【０１０５】
図１２の（ａ）図及び（ｂ）図に示すように、襟２１を下方に折り返すと、襟補強シート１は襟２１の内側に隠れた位置にあるため、襟２１の外側に露出することはない。襟２１は襟補強用シート１によって高さ方向の形状が安定し、横方向にも展張した状態が維持されるため、襟２１が型崩れすることが無く、襟２１に皺が生じ難い。特に、襟２１の外側面２２には更に強い展張力が加わっているため、皺は更に生じ難い状態にある。
【０１０６】
又、ネクタイ３０を結ぶ際に行なわれるネクタイ３０の左右の長さ調整も、図１３に示すように、襟補強用シート１による円滑面がネクタイ３０に接しているため、ネクタイ３０の長さ調整がスムーズに行なえる。このため、ネクタイ３０を痛めないのである。
【実施例２】
【０１０７】
図１４において、（ａ）図は本発明の第２実施形態に係るカッターシャツの襟補強用シート１Ｆを示す正面図であり、（ｂ）は同じくそのクリップ部を拡大して示す正面図であり、（ｃ）図は（ｂ）図におけるイーイ断面図であり、（ｄ）図は本発明の第２実施形態に係るカッターシャツの襟補強用シート１Ｆの使用状態を示す正面図である。
【０１０８】
図１４における（ａ）〜（ｃ）図に示す本発明の第２実施形態に係るカッターシャツの襟補強用シート１Ｆは以下の構成を有する。
即ち、カッターシャツの襟を平坦に広げた形状に略合わせた形状及び大きさを有する弾性シートよりなる襟補強シート本体２の少なくとも左右両端部には、当該襟補強用シート本体２をカッターシャツの襟の両端近傍面に挟着させるクリップ部１０，１０が夫々設けられたもので構成された、女性向けのものである。
【０１０９】
この実施形態による各クリップ部１０，１０は、略Ｕ形状を有する弾性プラスチック製の肉厚なクリップ本体１１，１１の各一端側に、リンゴの形状及び着色模様が施された装飾体１２，１２が固定されたもので構成され、各クリップ本体１１，１１の他端側が、襟補強シート本体２の下縁部における左右両端近傍における表面２ａ（カッターシャツの襟の内側面に接する面に対しては反対側になる面）に、固定されている。
【０１１０】
本発明の第２実施形態に係るカッターシャツの襟補強用シート１Ｆは、図１４における（ｄ）図に示すように、該襟補強シート１Ｆをカッターシャツ２０の襟２１の裏面（内側面）２３に沿わせた状態で、左右のクリップ部１０，１０を利用して襟２１を挟み付けることにより維持させ、リンゴ形状及び着色模様の装飾体１２，１２が、襟２１のアクセサリーになるように用いられている。
【０１１１】
図１５において、（ａ）図は本発明の第２実施形態における他のカッターシャツの襟補強用シート１Ｇを示す正面図であり、（ｂ）は同じくクリップ部を拡大して示す正面図であり、（ｃ）図は（ｂ）図におけるイーイ断面図であり、（ｄ）図は、本発明の第２実施形態における他のカッターシャツの襟補強用シート１Ｇの使用状態を示す正面図である。
【０１１２】
図１５における（ａ）〜（ｃ）図に示す本発明の第２実施形態に係るカッターシャツの襟補強用シート１Ｇにおいて、カッターシャツの襟を平坦に広げた形状に略合わせた形状及び大きさを有する弾性シートよりなる襟補強シート本体２の左右両端縁には、当該襟補強用シート本体２をカッターシャツの襟の両端近傍面に挟着させるクリップ部１０，１０が夫々設けられたもので構成された、女性向けのものである。
【０１１３】
この実施形態による各クリップ部１０は、略Ｕ形状を有する弾性プラスチック製の肉厚なクリップ本体１１の各一端側に、蝶の形状及び着色模様が施された装飾体１２が固定されたもので構成されてなり、各クリップ本体１１の他端側が、襟補強シート本体２における左右両端側縁近傍における表面（カッターシャツの襟の内側面に接する面に対しては反対側になる面）２ａに、固定されている。
【０１１４】
本発明の第２実施形態に係るカッターシャツの襟補強用シート１Ｇは、図１５における（ｄ）図に示すように、当該襟補強シート１Ｇをカッターシャツ２０の襟２１の裏面（内側面）２３に沿わせた状態で、左右のクリップ部１０，１０を利用して襟２１を挟み付けることにより維持させ、蝶の形状及び着色模様の装飾体１２，１２が、襟２１のアクセサリーになるように用いられる。
【図面の簡単な説明】
【０１１５】
【図１】図１において、（ａ）図は本発明の１実施形態に係るカッターシャツの襟補強用シートを裏面側から見た斜視図であり、（ｂ）図は同じく表面図であり、（ｃ）図は同じく裏面図である。
【図２】図２において、（ａ）図は本発明の１実施形態に係るカッターシャツの襟補強用シートの裏面の端部を示す部分拡大図であり、（ｂ）図は同じく粘着面に剥離シートが貼り付けられていない状態を示す部分断面図であり、（ｃ）図は同じく粘着面に剥離シートが貼り付けられた状態を示す部分断面図である。
【図３】図３において、（ａ）図はカッターシャツの襟補強用シートの他の例を示す表面図であり、（ｂ）図は同じく裏面図であり、（ｃ）図は同じく片側の先端近傍面を拡大して示す部分拡大裏面図である。
【図４】図４は３枚積層構造を有するカッターシャツの襟補強用シート本体を３枚に重ねて貼り合わされる前の状態を示す斜視図である。
【図５】図５において、（ａ）図は幅が狭い両面粘着テープを示す斜視図であり、（ｂ）図は幅が広い両面粘着テープを示す斜視図である。
【図６】図６は、カッターシャツの襟補強用シートに用いられる両面粘着シートを示す斜視図である。
【図７】図７において、（ａ）図〜（ｄ）図は、いずれも両面粘着テープの両面における粘着面の形状例を示す図である。
【図８】図８において、（ａ）図及び（ｂ）図はいずれも両面粘着シールを示す表面図である。
【図９】図９において、（ａ）図は粘着材料が塗布されたカッターシャツの襟補強用シートの裏面における片側の端部を示す拡大図であり、（ｂ）図は同じくその拡大断面図である。
【図１０】図１０において、（ａ）図，（ｂ）図及び（ｃ）図は、いずれもカッターシャツの襟補強用シートにおける粘着面の形成個所の各例を示す襟補強用シート本体の裏面図である。
【図１１】図１１において、（ａ）図はカッターシャツの襟を立てて襟の裏面（内側面）に本発明のカッターシャツの襟補強用シートを沿わせて貼り付けた状態を示す正面図であり、（ｂ）図は同じくその左側面図である。
【図１２】図１２において、（ａ）図はカッターシャツの襟の裏面（内側面）に本発明のカッターシャツの襟補強用シートを沿わせて貼り付けた後、ネクタイを着用した状態を示す正面図であり、（ｂ）図は同じくその左側面図である。
【図１３】図１３は、襟に対する本発明のカッターシャツの襟補強用シートとネクタイの位置関係を示す襟後部の側面断面図である。
【図１４】図１４において、（ａ）図は本発明の第２実施形態に係るカッターシャツの襟補強用シートを示す正面図であり、（ｂ）は同じくクリップ部を拡大して示す正面図であり、（ｃ）図は（ｂ）図におけるイーイ断面図であり、（ｄ）図は本発明の第２実施形態に係るカッターシャツの襟補強用シートの使用状態を示す正面図である。
【図１５】図１５において、（ａ）図は本発明の第２実施形態における他のカッターシャツの襟補強用シートを示す正面図であり、（ｂ）は同じくクリップ部を拡大して示す正面図であり、（ｃ）図は（ｂ）図におけるイーイ断面図であり、（ｄ）図は、本発明の第２実施形態の他形状によるカッターシャツの襟補強用シートの使用状態を示す正面図である。
【符号の説明】
【０１１６】
１    （本発明の第１実施形態に係る）襟補強用シート
２    襟補強用シート本体
２ａ  表面
２ｂ  裏面
３    粘着剤層
４    剥離シート
【図１】
2008291405.tif 000003
【図２】
2008291405.tif 000004
【図３】
2008291405.tif 000005
【図４】
2008291405.tif 000006
【図５】
2008291405.tif 000007
【図６】
2008291405.tif 000008
【図７】
2008291405.tif 000009
【図８】
2008291405.tif 000010
【図９】
2008291405.tif 000011
【図１０】
2008291405.tif 000012
【図１１】
2008291405.tif 000013
【図１２】
2008291405.tif 000014
【図１３】
2008291405.tif 000015
【図１４】
2008291405.tif 000016
【図１５】
2008291405.tif 000017